【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
特定の撮影設定に用いる複数の選択肢のいずれかを設定して撮影を行う撮像装置であって、
前記複数の選択肢のいずれかを選択する選択手段と、
前記選択手段により選択された選択肢を前記特定の撮影設定に用いるものとして設定する設定手段と、
前記設定手段により設定された選択肢の履歴を記憶する記憶手段とを有し、
前記選択手段は、前記記憶手段に記憶された選択肢の履歴に関わらず前記複数の選択肢のいずれかを選択する第１のモードと、前記記憶手段に記憶された選択肢の履歴を用いて、前記記憶手段に最も新しく記憶された選択肢をユーザに提示した後、ユーザの操作に基づいて前記複数の選択肢のいずれかを選択する第２のモードとを有し、前記記憶手段は前記第１のモード時に設定された選択肢の履歴を記憶することを特徴とする撮像装置。
【請求項２】
前記複数の選択肢の内、前記選択手段により選択されている選択肢を含む少なくとも一つの選択肢を表示する表示手段を更に有することを特徴とする請求項１に記載の撮像装置。
【請求項３】
前記選択手段は前記第２のモードにおいて、前記選択肢の履歴に記憶された選択肢を、記憶順が新しいものから古いものへ順次選択する予め設定された第１の操作と、記憶順が古いものから新しいものへ順次選択する予め設定された第２の操作とにより、前記複数の選択肢のいずれかを選択することを特徴とする請求項１または２に記載の撮像装置。
【請求項４】
前記特定の撮影設定は焦点の設定であり、前記複数の選択肢は複数の焦点検出領域であって、該焦点検出領域は、撮影画面において焦点を調節する対象となる部分領域であり、
前記設定手段により設定された焦点検出領域に焦点が合うようにフォーカスレンズを制御する焦点調節手段を更に有することを特徴とする請求項１乃至３のいずれか１項に記載の撮像装置。
【請求項５】
前記記憶手段は、前記第１のモードにおいて、前記設定された焦点検出領域に関連づけて、合焦状態におけるフォーカスレンズの位置情報を記憶することを特徴とする請求項４に記載の撮像装置。
【請求項６】
前記焦点調節手段は、前記第２のモードにおいて、前記設定手段により設定された焦点検出領域に関連づけて記憶された前記フォーカスレンズの位置情報に基づいて、前記フォーカスレンズを制御することを特徴とする請求項５に記載の撮像装置。
【請求項７】
前記特定の撮影設定は露出の設定であり、前記複数の選択肢は、撮影画面において露出を調節する対象となる複数の部分領域であることを特徴とする請求項１乃至３のいずれか１項に記載の撮像装置。
【請求項８】
前記第１のモードは、前記複数の選択肢のいずれかを自動的に選択するモードと、操作部材の操作に応じて前記複数の選択肢のいずれかを選択するモードとを有することを特徴とする請求項１乃至７のいずれか１項に記載の撮像装置。
【請求項９】
前記記憶手段に記憶する前記選択肢の個数を設定する記憶数設定手段を更に有し、
前記記憶手段に記憶された選択肢の個数が前記記憶数設定手段により設定された個数を超えないように、前記記憶手段に記憶されている選択肢の内、最も古い選択肢から順に前記履歴から消去することを特徴とする請求項１乃至８のいずれか１項に記載の撮像装置。
【請求項１０】
前記記憶手段に記憶された履歴を、前記撮像装置の電源をオフする動作に伴って消去することを特徴とする請求項１乃至９のいずれか１項に記載の撮像装置。
【請求項１１】
撮像装置において、特定の撮影設定に用いる複数の選択肢のいずれかを設定する設定方法であって、
第１のモードで前記複数の選択肢のいずれかを選択する第１の選択工程と、
前記第１の選択工程で選択された選択肢を前記特定の撮影設定に用いるものとして設定する設定工程と、
前記設定工程で設定された選択肢の履歴を記憶手段に記憶する記憶工程と、
第２のモードで前記複数の選択肢のいずれかを選択する第２の選択工程と、
前記第２の選択工程で選択された選択肢を再設定する再設定工程とを有し、
前記第１のモードは前記記憶手段に記憶された選択肢の履歴に関わらず前記複数の選択肢のいずれかを選択するモードであり、前記第２のモードは前記記憶手段に記憶された選択肢の履歴を用いて、前記記憶手段に最も新しく記憶された選択肢をユーザに提示した後、ユーザの操作に基づいて前記複数の選択肢のいずれかを選択するモードであることを特徴とする設定方法。
【請求項１２】
露出設定に用いる複数の部分領域のいずれかを設定して撮影を行う撮像装置であって、
前記複数の部分領域のいずれかを選択する選択手段と、
前記選択手段により選択された部分領域を前記露出設定に用いる部分領域として設定する設定手段と、
前記設定手段により設定された部分領域の履歴を記憶する記憶手段とを有し、
前記選択手段は、前記記憶手段に記憶された部分領域の履歴に関わらず前記複数の部分領域のいずれかを選択する第１のモードと、前記記憶手段に記憶された部分領域の履歴を用いて前記複数の部分領域のいずれかを選択する第２のモードとを有し、前記記憶手段は前記第１のモード時に設定された部分領域の履歴を記憶することを特徴とする撮像装置。
【請求項１３】
撮像装置において、露出設定に用いる複数の部分領域のいずれかを設定する設定方法であって、
第１のモードで前記複数の部分領域のいずれかを選択する第１の選択工程と、
前記第１の選択工程で選択された部分領域を前記露出設定に用いるものとして設定する設定工程と、
前記設定工程で設定された部分領域の履歴を記憶手段に記憶する記憶工程と、
第２のモードで前記複数の部分領域のいずれかを選択する第２の選択工程と、
前記第２の選択工程で選択された部分領域を前記露出設定に用いるものとして再設定する再設定工程とを有し、
前記第１のモードは前記記憶手段に記憶された部分領域の履歴に関わらず前記複数の部分領域のいずれかを選択するモードであり、前記第２のモードは前記記憶手段に記憶された部分領域の履歴を用いて、前記記憶手段に最も新しく記憶された部分領域をユーザに提示した後、ユーザの操作に基づいて前記複数の部分領域のいずれかを選択するモードであることを特徴とする設定方法。
【請求項１４】
コンピュータに、請求項１１または１３に記載の設定方法の各工程を実行させるためのプログラム。
【請求項１５】
請求項１４に記載のプログラムを格納したことを特徴とするコンピュータが読み取り可能な記憶媒体。
【手続補正２】
【補正対象書類名】明細書
【補正対象項目名】００１８
【補正方法】変更
【補正の内容】
【００１８】
上記目的を達成するために、特定の撮影設定に用いる複数の選択肢のいずれかを設定して撮影を行う本発明の撮像装置は、前記複数の選択肢のいずれかを選択する選択手段と、前記選択手段により選択された選択肢を前記特定の撮影設定に用いるものとして設定する設定手段と、前記設定手段により設定された選択肢の履歴を記憶する記憶手段とを有し、前記選択手段は、前記記憶手段に記憶された選択肢の履歴に関わらず前記複数の選択肢のいずれかを選択する第１のモードと、前記記憶手段に記憶された選択肢の履歴を用いて、前記記憶手段に最も新しく記憶された選択肢をユーザに提示した後、ユーザの操作に基づいて前記複数の選択肢のいずれかを選択する第２のモードとを有し、前記記憶手段は前記第１のモード時に設定された選択肢の履歴を記憶することを特徴とする。
【手続補正３】
【補正対象書類名】明細書
【補正対象項目名】００１９
【補正方法】変更
【補正の内容】
【００１９】
また、撮像装置において、特定の撮影設定に用いる複数の選択肢のいずれかを設定する本発明の設定方法は、第１のモードで前記複数の選択肢のいずれかを選択する第１の選択工程と、前記第１の選択工程で選択された選択肢を前記特定の撮影設定に用いるものとして設定する設定工程と、前記設定工程で設定された選択肢の履歴を記憶手段に記憶する記憶工程と、第２のモードで前記複数の選択肢のいずれかを選択する第２の選択工程と、前記第２の選択工程で選択された選択肢を再設定する再設定工程とを有し、前記第１のモードは前記記憶手段に記憶された選択肢の履歴に関わらず前記複数の選択肢のいずれかを選択するモードであり、前記第２のモードは前記記憶手段に記憶された選択肢の履歴を用いて、前記記憶手段に最も新しく記憶された選択肢をユーザに提示した後、ユーザの操作に基づいて前記複数の選択肢のいずれかを選択するモードであることを特徴とする。
また、別の構成によれば、露出設定に用いる複数の部分領域のいずれかを設定して撮影を行う本発明の撮像装置は、前記複数の部分領域のいずれかを選択する選択手段と、前記選択手段により選択された部分領域を前記露出設定に用いる部分領域として設定する設定手段と、前記設定手段により設定された部分領域の履歴を記憶する記憶手段とを有し、前記選択手段は、前記記憶手段に記憶された部分領域の履歴に関わらず前記複数の部分領域のいずれかを選択する第１のモードと、前記記憶手段に記憶された部分領域の履歴を用いて前記複数の部分領域のいずれかを選択する第２のモードとを有し、前記記憶手段は前記第１のモード時に設定された部分領域の履歴を記憶することを特徴とする。
また、撮像装置において、露出設定に用いる複数の部分領域のいずれかを設定する本発明の設定方法は、第１のモードで前記複数の部分領域のいずれかを選択する第１の選択工程と、前記第１の選択工程で選択された部分領域を前記露出設定に用いるものとして設定する設定工程と、前記設定工程で設定された部分領域の履歴を記憶手段に記憶する記憶工程と、第２のモードで前記複数の部分領域のいずれかを選択する第２の選択工程と、前記第２の選択工程で選択された部分領域を前記露出設定に用いるものとして再設定する再設定工程とを有し、前記第１のモードは前記記憶手段に記憶された部分領域の履歴に関わらず前記複数の部分領域のいずれかを選択するモードであり、前記第２のモードは前記記憶手段に記憶された部分領域の履歴を用いて、前記記憶手段に最も新しく記憶された部分領域をユーザに提示した後、ユーザの操作に基づいて前記複数の部分領域のいずれかを選択するモードであることを特徴とする。